(57)【要約】【課題】ベランダ等の施工時期に関係なくパーティションの設置が可能で、メンテナンスの際にも、設置されているパーティションが何ら障害となることなく作業を行なえるパーティションを提供する。【解決手段】上下横枠３，４及び左右縦枠６，７を含む枠体２にボード９を取り付けてなるパーティション１の枠体２の一方の基端側縦枠６を建物躯体側にヒンジ１０によって枢着し、他方の先端側縦枠７をベランダ等の手摺り側に解放可能に固定するようにした。【選択図】図２
2014133975.tif 000002
【特許請求の範囲】
【請求項１】
上下横枠及び左右縦枠を含む枠体にボードを取り付けてなるパーティションの枠体の一方の基端側縦枠を建物躯体側にヒンジによって枢着し、他方の先端側縦枠をベランダ等の手摺り側に解放可能に固定するようにしたパーティションの取付構造。
【請求項２】
枠体の先端側縦枠を手摺り側の固定位置に対向位置させた時に先端側縦枠の先端面と固定位置との間に所要間隔を設けるようにし、手摺り側の固定位置には先端部に締付ナットを螺着した固定ボルトを回転不能に突設し、このボルトと対向する先端側縦枠に、この縦枠を両側から挟む両側壁と前壁とからなるコ字形連結枠を、前記固定位置に対して進退移動可能に固定用ネジで固定し、連結枠の前壁には固定ボルトと対向する位置に締付ナットが挿通可能なナット挿通孔を設け、前壁の内側面側には、前記ナット挿通孔に合致するナット挿通孔とこれの上側に固定ボルトが嵌合可能なボルト嵌合孔とを連通形成したスライド板を上下スライド可能に設けると共に、スライド板の上端部には、ボルト嵌合孔が前壁側のナット挿通孔と対向する位置で前壁の上端に係止する係止板部を設け、しかして枠体の先端側縦枠が手摺り側の固定位置に対向する位置で連結枠を前進させて、前壁のナット挿通孔と、スライド板を引き上げて前壁のナット挿通孔に合致させたナット挿通孔とを、固定ボルトと共に締付ナットに嵌挿させた状態からスライド板を下ろしてボルト嵌合孔を固定ボルトに嵌合し、締付ナットを締め付け、固定用ネジを締め付けて連結枠を先端側縦枠に固定するようにした請求項１に記載のパーティションの取付構造。
【請求項３】
上下横枠及び左右縦枠を含む固定枠体にボードを取り付け、上下横枠及び左右縦枠を含む可動枠体にボードを取り付け、固定枠体の一方の縦枠を建物躯体側に固定し、その他方の縦枠に可動枠体の一方の基端側縦枠をヒンジによって枢着し、その他方の先端側縦枠をベランダ等の手摺り側に解放可能に固定するようにしたパーティションの取付構造。
【請求項４】
固定枠体の前記他方の縦枠側には、下端がベランダ等の床面に接地され、上端がベランダ等の天井面に当接される支柱を取り付けてなる請求項３に記載のパーティションの取付構造。
【請求項５】
可動枠体の先端側縦枠を手摺り側の固定位置に対向位置させた時に先端側縦枠の先端面と固定位置との間に所要間隔を設けるようにし、手摺り側の固定位置には先端部に締付ナットを螺着した固定ボルトを回転不能に突設し、このボルトと対向する先端側縦枠に、この縦枠を両側から挟む両側壁と前壁とからなるコ字形連結枠を、前記固定位置に対して進退移動可能に固定用ネジで固定し、連結枠の前壁には固定ボルトと対向する位置に締付ナットが挿通可能なナット挿通孔を設け、前壁の内側面側には、前記ナット挿通孔に合致するナット挿通孔とこれの上側に固定ボルトが嵌合可能なボルト嵌合孔とを連通形成したスライド板を上下スライド可能に設けると共に、スライド板の上端部には、ボルト嵌合孔が前壁側のナット挿通孔と対向する位置で前壁の上端に係止する係止板部を設け、しかして可動枠体の先端側縦枠が手摺り側の固定位置に対向する位置で連結枠を前進させて、前壁のナット挿通孔と、スライド板を引き上げて前壁のナット挿通孔に合致させたナット挿通孔とを、固定ボルトと共に締付ナットに嵌挿させた状態からスライド板を下ろしてボルト嵌合孔を固定ボルトに嵌合し、締付ナットを締め付け、固定用ネジを締め付けて連結枠を先端側縦枠に固定するようにした請求項３又は４に記載のパーティションの取付構造。
【請求項６】
前記コ字形連結枠を先端側縦枠に固定する固定用ネジは、先端側縦枠に取り付けられたナット部材に螺合するイタズラ防止ネジからなる請求項２〜５の何れかに記載のパーティションの取付構造。
【請求項７】
前記ヒンジは、アルミ押出形材からなる固定用取付枠の一側端部に設けられた断面略Ｃ字形筒状部をその長手方向一定間隔おきに所定長さ切除して、ヒンジ用筒部と切除部とを交互に形成する一方、アルミ押出形材からなる基端側縦枠側の一側端部に設けられた断面略Ｃ字形筒状部をその長手方向一定間隔おきに所定長さ切除して、ヒンジ用筒部と切除部とを交互に形成し、固定用取付枠側のヒンジ用筒部を基端側縦枠側の切除部に嵌合すると共に、基端側縦枠側のヒンジ用筒部を固定用取付枠側の切除部に嵌合し、これらのヒンジ用筒部にヒンジ用軸を挿通することによって形成した請求項１〜６の何れかに記載のパーティションの取付構造。
【請求項８】
前記ヒンジは、アルミ押出形材からなる固定用取付枠の一側端部に設けられたヒンジ用丸軸部の付け根側壁部をその長手方向一定間隔おきに所定長さ切除して長窓を形成する一方、アルミ押出形材からなる基端側縦枠側の一側端部に設けられた断面略Ｃ字形の径大筒状部をその長手方向一定間隔おきに所定長さ切除して、ヒンジ用筒部と切除部とを交互に形成し、基端側縦枠側の各ヒンジ用筒部を、固定用取付枠側の長窓に嵌め入れてヒンジ用丸軸部を中心に回動可能とした状態で、これらヒンジ用筒部とヒンジ用丸軸部との間に、断面略Ｃ字形の径小筒状中間ヒンジ軸を挿入することによって形成した請求項１〜６の何れかに記載のパーティションの取付構造。
【発明の詳細な説明】
【技術分野】
【０００１】
本発明は、マンション等の集合住宅のベランダやバルコニーにおいて隣家との間仕切りとして使用されるパーティションの取付構造に関する。
【背景技術】
【０００２】
パーティションは、上下横枠及び左右縦枠を含む金属製の枠体にボードを取り付けたもので、ボードは、火災発生時等の非常時に居住者が突き破って互いに隣家側へ抜け出れるように石膏ボード等の破壊し易い材料で形成されている。パーティションの取付けにあたって、枠体の一方の縦枠を建物躯体側に、また他方の縦枠をベランダ等の手摺り側に夫々ボルト等で固定する取付構造では、例えばマンションの手摺りやベランダ等共用部分の大規模修繕工事を行なう際、パーティションを取り外すのに非常な手間がかかることから、設置したままの状態にしておくと、工事中に隣家のベランダを直接行き来できないために足場から各戸のベランダへ入り、施工後に再び足場に戻り、隣りに移動して再度ベランダに入り直すという手間がかかり、また各戸の玄関から室内を通り抜けて作業をすることになると、入居者の都合で工事を施工できない場合もあって、非常な不都合を来す。
【０００３】
上記のような不都合を解消するために、上下横枠、中横枠及び左右縦枠からなる枠体の上半部内に破壊可能なボードを取り付け、その下半部には扉枠を取外し可能に取り付け、この扉枠内に破壊可能なボードを取り付けて扉体とし、しかしてベランダ等の修繕工事で必要な場合は、扉体を取り外して作業者の通行を可能にするようにしたパーティションが提案されている（特許文献１参照）
【先行技術文献】
【特許文献】
【０００４】
【特許文献１】特開２０１２−１０７４５８号公報
【発明の概要】
【発明が解決しようとする課題】
【０００５】
しかしながら、特許文献１のようなパーティションでは、枠体の一方の縦枠を建物躯体側に固定し、他方の縦枠をベランダ等の手摺り側に固定しているため、例えばマンションの新築工事において、建物躯体の施工後にベランダを施工する場合に、ベランダの施工が終わらなければ、パーティションを設置することができないために施工能率が悪くなる。また、上記のようなマンションのベランダや手摺り等の共用部分の大規模修繕工事において、手摺りの塗装やベランダの床の塗装を行う時にパーティションの設置されている箇所では作業がやりにくく、十分な塗装が行なえない等の問題がある。
【０００６】
本発明は、上記の事情に鑑み、マンション等の新築工事では、ベランダ等の施工時期に関係なくパーティションの設置が可能となり、また修繕工事等のメンテナンスにおいて、設置されているパーティションが障害になることなく作業を行なえるパーティションを提供することを目的とする。
【課題を解決するための手段】
【０００７】
上記課題を解決するための手段を、後述する実施形態の参照符号を付して説明すると、請求項１に係る発明のパーティションの取付構造は、上下横枠３，４及び左右縦枠６，７を含む枠体２にボード９を取り付けてなるパーティション１の枠体２の一方の基端側縦枠６を建物躯体側にヒンジ１０によって枢着し、他方の先端側縦枠７をベランダ等の手摺り側に解放可能に固定するようにしたことを特徴とする。
【０００８】
請求項２は、請求項１に記載のパーティションの取付構造において、枠体２の先端側縦枠７を手摺りＴ側の固定位置に対向位置させた時に先端側縦枠７の先端面と固定位置との間に所要間隔Ｓを設けるようにし、手摺りＴ側の固定位置には先端部に締付ナット１５を螺着した固定ボルト１４を回転不能に突設し、このボルト１４と対向する先端側縦枠７に、この縦枠７を両側から挟む両側壁１６ａ，１６ａと前壁１６ｂとからなるコ字形連結枠１６を、前記固定位置に対して進退移動可能に固定用ネジ１７でに固定し、連結枠１６の前壁１６ｂには固定ボルト１４と対向する位置に締付ナット１５が挿通可能なナット挿通孔１８を設け、前壁１６ｂの内側面側には、前記ナット挿通孔１８に合致するナット挿通孔２０とこれの上側に固定ボルト１４が嵌合可能なボルト嵌合孔２１とを連通形成したスライド板２２を上下スライド可能に設けると共に、スライド板２２の上端部には、ボルト嵌合孔２１が前壁１６ｂ側のナット挿通孔１８と対向する位置で前壁１６ｂの上端に係止する係止板部２２ａを設け、しかして枠体２の先端側縦枠７が手摺りＴ側の固定位置に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に挿通させた状態から、スライド板２２を下ろしてボルト嵌合孔２１を固定ボルト１４に嵌合し、締付ナット１５を締め付け、固定用ネジ１７を締め付けて連結枠１６を先端側縦枠７に固定するようにしたことを特徴とする。
【０００９】
請求項３に係る発明のパーティションの取付構造は、上下横枠３，４及び左右縦枠６，７を含む固定枠体２Ａにボード９を取り付け、上下横枠３，４及び左右縦枠６，７を含む可動枠体２Ｂにボード９を取り付け、固定枠体２Ａの一方の縦枠６を建物躯体側に固定し、その他方の縦枠７に可動枠体２Ｂの一方の基端側縦枠６をヒンジ１０で枢着し、その他方の先端側縦枠７をベランダ等の手摺り側に解放可能に固定するようにしたことを特徴とする。
【００１０】
請求項４は、請求項３に記載のパーティションの取付構造において、固定枠体２Ａの前記他方の縦枠７側には、下端がベランダ等の床面に接地され、上端がベランダ等の天井面に当接される支柱２７を取り付けてなることを特徴とする。
【００１１】
請求項５は、請求項３又は４に記載のパーティションの取付構造において、可動枠体２Ｂの先端側縦枠７を手摺りＴ側の固定位置に対向位置させた時に先端側縦枠７の先端面７ａと固定位置との間に所要間隔Ｓを設けるようにし、手摺りＴ側の固定位置には先端部に締付ナット１５を螺着した固定ボルト１４を回転不能に突設し、このボルト１４と対向する先端側縦枠７に、この縦枠７を両側から挟む両側壁１６ａ，１６ａと前壁１６ｂとからなるコ字形連結枠１６を、前記固定位置に対して進退移動可能に固定用ネジ１７で固定し、連結枠１６の前壁１６ｂには固定ボルト１４と対向する位置に締付ナット１５が挿通可能なナット挿通孔１８を設け、前壁１６ｂの内側面側には、前記ナット挿通孔１８に合致するナット挿通孔２０とこれの上側に固定ボルト１４が嵌合可能なボルト嵌合孔２１とを連通形成したスライド板２２を上下スライド可能に設けると共に、スライド板２２の上端部には、ボルト嵌合孔２１が前壁１６ｂ側のナット挿通孔１８と対向する位置で前壁１６ｂの上端に係止する係止板部２２ａを設け、しかして可動枠体２Ｂの先端側縦枠７が手摺りＴ側の固定位置に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態から、スライド板２２を下ろしてボルト嵌合孔２１を固定ボルト１４に嵌合し、締付ナット１５を締め付け、固定用ネジ１７を締め付けて連結枠１６を先端側縦枠７に固定するようにしたことを特徴とする。
【００１２】
請求項６は、請求項２〜５の何れかに記載のパーティションの取付構造において、前記コ字形連結枠１６を先端側縦枠７に固定する固定用ネジ１７は、先端側縦枠７に取り付けられた雌ネジ部材２４に螺合するイタズラ防止ネジからなることを特徴とする。
【００１３】
請求項７は、請求項１〜６の何れかに記載のパーティションの取付構造において、前記ヒンジ１０は、アルミ押出形材からなる固定用取付枠２５の一側端部に設けられた断面略Ｃ字形筒状部３０をその長手方向一定間隔おきに所定長さ切除して、ヒンジ用筒部３０ａと切除部３０ｏとを交互に形成する一方、アルミ押出形材からなる基端側縦枠６側の一側端部に設けられた断面略Ｃ字形筒状部３１をその長手方向一定間隔おきに所定長さ切除して、ヒンジ用筒部３１ａと切除部３１ｏとを交互に形成し、固定用取付枠２５側のヒンジ用筒部３０ａを基端側縦枠６側の切除部３１ｏに嵌合すると共に、基端側縦枠６側のヒンジ用筒部３１ａを固定用取付枠２５側の切除部３０ｏに嵌合し、これらのヒンジ用筒部３０ａ，３１ａにヒンジ用軸３２を挿通することによって形成したことを特徴とする。
【００１４】
請求項８は、請求項１〜６の何れかに記載のパーティションの取付構造において、前記ヒンジ１０は、アルミ押出形材からなる固定用取付枠３３の一側端部に設けられたヒンジ用丸軸部３４の付け根側壁部３５をその長手方向一定間隔おきに所定長さ切除して長窓３６を形成する一方、アルミ押出形材からなる基端側縦枠６の一側端部に設けられた断面略Ｃ字形の径大筒状部３８をその長手方向一定間隔おきに所定長さ切除して、ヒンジ用筒部３８ａと切除部３８ｏとを交互に形成し、基端側縦枠６側の各ヒンジ用筒部３８ａを、固定用取付枠３３側の長窓３６に嵌め入れてヒンジ用丸軸部３４を中心に回動可能とした状態で、これらヒンジ用筒部３８ａとヒンジ用丸軸部３４との間に、断面略Ｃ字形の径小筒状中間ヒンジ軸３９を挿入することによって形成したことを特徴とする。
【発明の効果】
【００１５】
上記解決手段による発明の効果を、後述する実施形態の参照符号を付して説明すると、請求項１に係る発明によれば、枠体２の一方の基端側縦枠６を建物躯体側にヒンジ１０によって枢着し、枠体２の他方の先端側縦枠７を手摺りＴ側の固定位置に解放可能に固定するようにしたから、マンション等の新築工事においては、ベランダ等の施工時期に関係なくパーティションの設置が可能となり、また修繕工事等のメンテナンスにおいても、設置されているパーティションを躯体壁Ｗ側に寄せておくことで、ベランダ床等の塗装作業や手摺りの補修作業等を有効に行なうことができる。
【００１６】
請求項２に係る発明によれば、例えばマンションのベランダ等共用部の修繕工事を行なう場合に、枠体２の先端側縦枠７を手摺りＴ側固定位置から切り離す時は、スライド板２２をコ字形連結枠１６に固定すると共に連結枠１６を手摺りＴ側固定位置に固定している締付ナット１５を緩め、またコ字形連結枠１６を先端側縦枠７に固定している固定用ネジ１７を緩めた後、スライド板２２を引き上げて、スライド板２２のナット挿通孔２０を前壁１６ｂのナット挿通孔１８に合致させた状態で、連結枠１６を後退させることにより、枠体２の先端側縦枠７を手摺りＴ側の固定位置から簡単、容易に切り離すことができる。また、枠体２の先端側縦枠７を手摺りＴ側の固定位置に固定する時は、先端側縦枠７が手摺りＴ側固定位置に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態から、スライド板２２を下ろしてボルト嵌合孔２１を固定ボルト１４に嵌合し、締付ナット１５を締め付け、固定用ネジ１７を締め付ければよい。この場合、締付ナット１５は、固定ボルト１４の先端部に常に螺着しておくことができるから、紛失するおそれがなく、レンチ等の回転操作具で締め付け又は緩める作業を行なうだけでよく、作業に手間がかからない。
【００１７】
請求項３に係る発明によれば、可動枠体２Ｂの一方の基端側縦枠６を建物躯体側にヒンジ１０によって枢着し、可動枠体２Ｂの他方の先端側縦枠７を手摺りＴ側の固定位置に解放可能に固定するようにしたから、マンション等の新築工事においては、ベランダ等の施工時期に関係なくパーティションの設置が可能となり、また修繕工事等のメンテナンスにあっても、設置されているパーティションを躯体壁Ｗ側に寄せておくことで、ベランダ床等の塗装作業や手摺りの補修作業等を有効に行なうことができる。
【００１８】
請求項４に係る発明によれば、固定枠体２Ａの前記他方の縦枠７側に、下端がベランダ等の床面に接地され、上端がベランダ等の天井面に当接される支柱２７を取り付けているから、この支柱２７により、固定枠体２Ａの先端側の縦枠７を支持すると共に、可動枠体２Ｂの基端側の縦枠６を支持して、パーティション１全体を安定良く設置することができる。
【００１９】
請求項５に係る発明によれば、例えばマンションのベランダ等共用部の修繕工事を行なう場合に、可動枠体２Ｂの先端側縦枠７を手摺りＴ側固定位置から切り離す時は、スライド板２２をコ字形連結枠１６に固定すると共に連結枠１６を手摺りＴ側固定位置に固定している締付ナット１５を緩め、またコ字形連結枠１６を先端側縦枠７に固定している固定用ネジ１７を緩めた後、スライド板２２を引き上げて、スライド板２２のナット挿通孔２０を前壁１６ｂのナット挿通孔１８に合致させた状態で、連結枠１６を後退させることにより、枠体２の先端側縦枠７を手摺りＴ側の固定位置から簡単、容易に切り離すことができる。また、可動枠体２Ｂの先端側縦枠７を手摺りＴ側の固定位置に固定する時は、先端側縦枠７が手摺りＴ側固定位置に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態から、スライド板２２を下ろしてボルト嵌合孔２１を固定ボルト１４に嵌合し、締付ナット１５を締め付け、固定用ネジ１７を締め付ければよい。この場合、締付ナット１５は、固定ボルト１４の先端部に常に螺着しておけるから、紛失するおそれがなく、レンチ等の回転操作具で締め付け又は緩める作業を行なうだけでよく、作業に手間がかからない。
【００２０】
請求項６に係る発明によれば、固定用ネジ１７が、専用工具によってしか回転操作できないイタズラ防止ネジからなるため、その専用工具を、例えばマンションの管理人が保管するようにして、入居者でも勝手に使用できないようにしておけば、各戸への不法侵入、プライバシーの侵害を防止できる。
【００２１】
請求項７に係る発明によれば、ヒンジ用筒部３０ａ，３１ａが固定用取付枠２５、枠体２，２Ｂの基端側縦枠６と夫々一体に形成されるから、製作が容易となる。また、ヒンジ用筒部３０ａ，３１ａの形成にあたって、ヒンジ用筒部３０ａは、固定用取付枠２５の一側端部に設けられた断面略Ｃ字形筒状部３０をその長手方向一定間隔おきに所定長さ切除することにより形成し、またヒンジ用筒部３１ａは基端側縦枠６の一側端部に設けられた断面略Ｃ字形筒状部３１をその長手方向一定間隔おきに所定長さ切除することにより形成したものであるため、ヒンジ用筒状部３０ａ，３１ａの製作が容易となる。
【００２２】
請求項８に係る発明によれば、ヒンジ用筒部３８ａが、枠体２，２Ｂの基端側縦枠６と一体に形成され、またヒンジ用丸軸部３４が固定用取付枠３３と一体に形成されるから、ヒンジの製作が容易となる。また、先端側縦枠７に形成される筒状部３８が断面円形ではなく、断面略Ｃ字形であるため、ヒンジ用筒状部３０ａの形成が簡単容易となる。また、このヒンジ１０は、中心側のヒンジ用丸軸部３４と、この丸軸部３４に嵌合される断面略Ｃ字形の径小筒状中間ヒンジ軸３９と、この径小筒状中間ヒンジ軸３９に嵌合される断面略Ｃ字形の径大筒状部３８とからなるため、枢着部分が頑強となる。
【図面の簡単な説明】
【００２３】
【図１】本発明に係る幅狭型パーティションの取付構造を示す概略正面図である。
【図２】(a) は図１のＡ−Ａ線断面図で、使用時の取付状態を示し、(b) は図１のＢ−Ｂ線断面図である。
【図３】パーティションを建物躯体側へ折り畳んだ状態、及びこの折畳状態から使用位置へ回動して手摺り側に固定する状態を示す断面説明図である。
【図４】枠体の先端側縦枠を手摺り支柱に固定する構造を示す斜視図である。
【図５】図４に示す構造部分の分解斜視図である。
【図６】(a) は枠体の先端側縦枠を手摺り支柱に固定した状態での平面断面図、(b) は(a) に示す部分の正面図、(c-1) は(a) のＣ−Ｃ断面図、(c-2) は(c-1) に示す状態からスライド板を引き上げた状態を示す(c-1) と同様な図面である。
【図７】本発明に係る幅広型パーティションの取付構造を示す概略正面図である。
【図８】図７のＤ−Ｄ断面図である。
【図９】同上のパーティションの使用形態を示す断面説明図である。
【図１０】ヒンジの取付構造を示すもので、(a) はパーティションが開いた状態の平面断面図、(b) はパーティションが閉じた状態の平面断面図、(c) はヒンジの分解斜視図である。
【図１１】他のタイプのヒンジの取付構造を示すもので、(a) はパーティションが開いた状態の平面断面図、(b) はパーティションが閉じた状態の平面断面図、(c) はヒンジの分解斜視図である。
【図１２】図１１に示すヒンジの組み付け順序を説明する説明図である。
【図１３】ヒンジのヒンジ用筒部をプレス加工して形成する方法を概略的に説明する説明図である。
【発明を実施するための形態】
【００２４】
以下に本発明の好適な一実施形態を図面に基づいて説明すると、図１及び図２はパーティション１がマンションのベランダに設置された状態を示しており、このパーティション１は、上下横枠３，４、中横枠５、左右縦枠６，７及び中縦枠８からなる枠体２に、破壊可能なボード９を取り付けて形成されたもので、枠体１の一方の基端側縦枠６が建物の躯体壁Ｗにヒンジ１０によって枢着され、他方の先端側縦枠７は、ベランダの固定位置にある手摺りＴの摺り支柱１２に解放（切り離し）可能に固定されている。尚、破壊可能なボード９は無石綿セメント板からなるもので、厚みが例えば６ｍｍである。
【００２５】
このパーティション１について更に説明すれば、枠体２は、その基端側縦枠６をヒンジ１０で躯体壁Ｗに枢着して、先端側縦枠７を手摺り支柱１２に対向させた使用状態において、先端側縦枠７の先端面７ａと手摺り支柱１２の室内側面１２ａとの間に所要間隔Ｓを形成するように設定する。この所要間隔Ｓは、ベランダの床Ｆの幅を例えば１２００ｍｍとし、枠体２の幅を約１２３０ｍｍとした場合には、４５ｍｍ程度である。
【００２６】
しかして、手摺り支柱１２の室内側面１２ａ（図４参照）には、その上端部と下端部とに夫々ボルト取付台片１３をビス４０で固着するが、この固着に先立って、ボルト取付台片１３には、図５及び図６に示すように、表面側中央に開口されたボルト挿通孔１３ａに固定ボルト１４を挿通すると共に、ボルト取付台片１３の裏面側にあるナット嵌合溝１３ｂに固定ボルト１４のナット１４ａを嵌合して回転不能とした状態で、この固定ボルト１４を室内側に向けて垂直に突出させる。このボルト１４の先端部にはワッシャー１５ａ付きの締付ナット１５を螺着しておく。尚、ボルト取付台片１３は、図５及び図６の(a) に示すような断面形状のアルミ押出形材を所要長さにカットすることによって形成できるものである。
【００２７】
一方、ボルト取付台片１３から突出した固定ボルト１４と対向する枠体２の先端側縦枠７には、図５及び図６に示すように、この縦枠７を両側から挟む両側壁１６ａ，１６ａと前壁１６ｂとからなるコ字形の連結枠１６を、手摺り支柱１２に対して進退移動可能に固定用ネジ１７により固定する。そして、コ字形連結枠１６の前壁１６ｂには固定ボルト１４と同軸線上に対向する位置に、固定ボルト１４に螺着されたワッシャー１５ａ付き締付ナット１５が挿通可能なナット挿通孔１８を設け、そして側壁１６ａには、先端側縦枠７に固定される固定用ネジ１７に対しコ字形連結枠１６を手摺り支柱１２に向かって進退移動させるための水平方向に延びるガイド長孔１９を設ける。
【００２８】
また図５及び図６に示すように、コ字形連結枠１６の前壁１６ｂの内側面側には、前壁１６ｂのナット挿通孔１８に合致するナット挿通孔２０と、このナット挿通孔２０の上側に固定ボルト１４が嵌合可能なボルト嵌合孔２１とを連通形成したスライド板２２を、両側壁１６ａ，１６ａの内側面前端部に設けたガイド溝２３，２３に両端部が案内されて上下スライド可能に設けると共に、スライド板２２の上端部には、ボルト嵌合孔２１がコ字形連結枠１６の前壁１６ｂのナット挿通孔１８と対向する位置で前壁１６ｂの上端に係止する係止板部２２ａを前方へ一体に突設している。
【００２９】
固定用ネジ１７は、図６の(a) ，(b) に示すように、ネジ軸部１７ａを、コ字形連結枠１６の側壁１６ａのガイド長孔１９から、先端側縦枠７内にカシメによって固着されたナット部材２４に螺入締結されて、頭部１７ａがガイド長孔１９の開口端縁に係止されることにより、コ字形連結枠１６を先端側縦枠７に固定するようになっている。そして、この固定用ネジ１７は、専用工具（図示省略）を使用しなければ回すことができないイタズラ防止ネジからなるもので、頭部１７ｂには、専用工具のみが係嵌できてネジ軸部１７ａを回転させることのできる特殊な形状の被係嵌部１７ｃが設けられている。
【００３０】
次に、上記のように構成されるパーティション１の取付施工手順について説明すると、先ず、図３に示すように、枠体２の基端側縦枠６を、この基端側縦枠６と固定用取付枠２５との間に介装されるヒンジ１０により躯体壁Ｗ側に枢着して、このヒンジ１０を中心にパーティション１が回転可能な状態とする。図３には、枠体２の先端側縦枠７が躯体壁Ｗに接近してパーティション１が躯体壁Ｗと平行に位置する状態を実線で示し、この実線図示状態から先端側縦枠７が手摺りＴ側の固定位置である手摺り支柱１２に近づくように回転した状態を仮想線で示している。尚、固定用取付枠２５は、補強枠４１と躯体壁Ｗとの間に挟まれた状態でアンカーボルト４２によって躯体壁Ｗに固着されている。
【００３１】
それから、図３の左側下部に仮想線で示すように枠体２の先端側縦枠７が手摺り支柱１２に対向する位置で、締付ナット１５を緩めてコ字形連結枠１６を前進させ（詳しくは、図６の(a) に仮想線で示す位置にある連結枠１６を同図の実線で示す位置まで前進させ）て、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態（図６の(c-2) 参照）から、スライド板２２を下ろしてボルト嵌合孔２１を固定ボルト１４に嵌合して（図６の(c-1) 参照）、締付ナット１５を締め付けることにより、スライド板２２を連結枠１６に固定し、そして固定用ネジ１７を締め付けることによって、連結枠１６を枠体２の先端側縦枠７に固定する。これによって、パーティション１は、図２の(a) に示すように、手摺りＴの長手方向と直交して、枠体２の先端側縦枠７が手摺り支柱１２に連結された使用状態に固定される。
【００３２】
そして、例えばマンションの大規模修繕工事を行なう場合に、枠体２の先端側縦枠７を手摺り支柱１２から切り離す時は、手摺り支柱１２側に固定された固定ボルト１４の先端部に螺着されて、スライド板２２とともにコ字形連結枠１６を手摺り支柱１２側に固定している締付ナット１５を緩めると共に、コ字形連結枠１６を先端側縦枠７に固定している固定用ネジ１７を緩めた後、スライド板２２を引き上げて、図６の(c-2) に示すように、スライド板２２のナット挿通孔２０と前壁１６ｂのナット挿通孔１８とを合致させた状態でコ字形連結枠１６を後退させることによって、先端側縦枠７を手摺り支柱１２から切り離すことができる。切り離し後は、固定用ネジ１７を締めて、コ字形連結枠１６を後退位置で先端側縦枠７に固定すした状態で、パーティション１をヒンジ１０を中心に回転させて、図３に示すように躯体壁Ｗ側に寄せておけばよい。
【００３３】
スライド板２２をコ字形連結枠１６の前壁１６ｂに固定する締付ナット１５を締めたり緩めたりする時は、先端側縦枠７の先端面７ａと、スライド板２２との間の隙間（図４参照）から、例えばトルクレンチを差し込むことによって締付ナット１５を簡単容易に回動操作することができる。
【００３４】
また、コ字形連結枠１６を先端側縦枠７に固定する固定用ネジ１７は、前記したようにイタズラ防止ネジからなるため、図５及び図６の(b) に示すような頭部１７ｂに設けてある被係嵌部１７ｃに、図示しない専用工具の係合部を係合させることによって、ネジ軸部１７ａを回転させることができる。このイタズラ防止ネジからなる固定用ネジ１７の専用工具は、例えばマンションの場合には、そのマンションの管理人が保管するようにして、入居者でも勝手に使用できないようにしておけば、各戸への不法侵入、プライバシーの侵害を防止できる。
【００３５】
上記のように、このパーティション１は、枠体２の一方の基端側縦枠６を建物躯体側にヒンジ１０によって枢着し、枠体２の他方の先端側縦枠７をベランダ等の手摺りＴの手摺り支柱１２に解放可能に固定するようにしたから、マンション等の新築工事においては、ベランダ等の施工時期に関係なくパーティションの設置が可能となり、また修繕工事等のメンテナンスにおいても、設置されているパーティション１の枠体２の先端側縦枠７を、手摺り支柱１２側から切り離して、躯体壁Ｗ側に寄せておくことによって、手摺りの補修作業やベランダ床の塗装作業等を有効に行なうことができる。
【００３６】
また、このパーティション１の取付構造によれば、マンションのベランダ等共用部の修繕工事を行なう場合に、枠体２の先端側縦枠７を手摺り支柱１２側から切り離す時には、スライド板２２をコ字形連結枠１６に固定すると共に連結枠１６を手摺りＴ側固定位置に固定している締付ナット１５を緩め、コ字形連結枠１６を先端側縦枠７に固定している固定用ネジ１７を緩めた後、スライド板２２を引き上げ、スライド板２２のナット挿通孔２０を前壁１６ｂのナット挿通孔１８に合致させた状態で、連結枠１６を後退させることにより、枠体２の先端側縦枠７を手摺り支柱１２側から簡単容易に切り離すことができる。また、枠体２の先端側縦枠７を手摺り支柱１２側に固定する時は、先端側縦枠７が手摺り支柱１２に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態から、スライド板２２を下ろしてボルト嵌合孔２１を固定ボルト１４に嵌合し、締付ナット１５を締め付け、固定用ネジ１７を締め付けるだけでよい。この場合、締付ナット１５は、固定ボルト１４の先端部に常に螺着しておくことができるもので、紛失するおそれがなく、レンチ等の回転操作具を使用して、締め付けたり緩めたりする作業を行なうだけでよいから、作業の手間が省ける。
【００３７】
図７〜図９はパーティション１１が図１〜図３のパーティション１と同じくマンションのベランダに設置された状態を示しているが、このパーティション１１は、上下横枠３，４、中横枠５及び左右縦枠６，７からなる固定枠体２Ａにボード９を取り付けると共に、固定枠体２Ａの他方の縦枠７に方立２６を連結し、また上下横枠３，４、中横枠５及び左右縦枠６，７からなる可動枠体２Ｂにボード９を取り付け、そして固定枠体２Ａの基端側の縦枠６を躯体壁Ｗに固定し、固定枠体２Ａの他方の縦枠７に連結された方立２６には、可動枠体の一方の基端側縦枠６をヒンジ１０により枢着して、可動枠体２Ｂを、方立２６側のヒンジ１０を中心に回転できるようにしたもので、この可動枠体２Ｂの先端側縦枠７は、ベランダの固定位置にある手摺りＴの摺り支柱１２に解放可能に固定される。
【００３８】
また、方立２６内には、図８に示すように、角筒形の支柱２７が上下方向に貫通するように取り付けてあって、この支柱２７の下端はベランダの床面Ｆに接地され、支柱２７の上端はベランダの天井面Ｎ（上階側のベランダの下面でもある）に押し付けられている。この支柱２７は、固定枠体２Ａの先端側の縦枠７を支持すると共に、可動枠体２Ｂの基端側の縦枠６を支持して、パーティション１全体を安定良く設置できるようにするもので、図８に示すように、方立２６、固定枠体２Ａの先端側縦枠７、及び方立２６に取り付ける固定用取付枠２５と一緒にボルト２８及びナット２９で一体連結されている。
【００３９】
このパーティション１１において、可動枠体２Ｂの先端側縦枠７を手摺りＴの摺り支柱１２に解放可能に固定する構造については、前述したパーティション１の構造と全く同じであるため、詳細な図示及び説明は省略するが、パーティション１を示す図４〜図６を参照して簡単に説明すると、手摺り支柱１２側には、先端部に締付ナット１５を螺着した固定ボルト１４を回転不能に突設しておき、このボルト１４と対向する可動枠体２Ｂの先端側縦枠７には、コ字形連結枠１６を、手摺り支柱１２に対して進退移動可能に固定用ネジ１７により固定し、連結枠１６の前壁１６ｂには固定ボルト１４と対向する位置に締付ナット１５が挿通可能なナット挿通孔１８を設け、前壁１６ｂの内側面側には、前壁１６ｂのナット挿通孔１８に合致するナット挿通孔２０とこれの上側に固定ボルト１４が嵌合可能なボルト嵌合孔２１とを連通形成したスライド板２２を、上下スライド可能に設けると共に、スライド板２２の上端部には、ボルト嵌合孔２１が前壁１６ｂ側のナット挿通孔１８と対向する位置で前壁１６ｂの上端に係止する係止板部２２ａを設けている。
【００４０】
しかして、可動枠体２Ｂの先端側縦枠７を手摺り支柱１２に連結固定するには、パーティション１と全く同様に、可動枠体２Ｂの先端側縦枠７が手摺りＴ側の固定ボルト１４に対向する位置で連結枠１６を前進させて、前壁１６ｂのナット挿通孔１８と、スライド板２２を引き上げて前壁１６ｂのナット挿通孔１８に合致させたナット挿通孔２０とを、固定ボルト１４と共に締付ナット１５に嵌挿させた状態から、スライド板２２を下ろしてボルト嵌合孔２１を固定ボルト１４に嵌合し、締付ナット１５を締め付けてスライド板２２を連結枠１６に固定し、そして固定用ネジ１７を締め付けることによって、連結枠１６を枠体２の先端側縦枠７に固定し、これによってパーティション１は、図８に示すように、手摺りＴの長手方向と直交し、可動枠体２Ｂの先端側縦枠７が手摺り支柱１２に連結された使用状態に固定される。
【００４１】
このパーティション１１は、床Ｆの幅が広い、例えば１８００ｍｍ幅のベランダやバルコニーに使用される。この場合、固定枠体２Ａの幅は５００ｍｍ程度、可動枠体２Ｂの幅は１２００ｍｍ程度とされる。
【００４２】
図１０は、上述したパーティション１，１１の取付構造に使用されるヒンジ１０の構造を示すもので、(a) はパーティション１，１１が開いた時の取付構造、(b) は閉じた時の取付構造であり、(c) はヒンジ１０を分解した状態を示す。このヒンジ１０は、アルミ押出形材からなる固定用取付枠２５の一側端部に設けられた断面略Ｃ字形筒状部３０をその長手方向一定間隔おきに所定長さ切除して、ヒンジ用筒部３０ａと切除部３０ｏとを交互に形成する一方、同じくアルミ押出形材からなる枠体２，２Ｂの基端側縦枠６の一側端部に設けられた断面略Ｃ字形筒状部３１をその長手方向一定間隔おきに所定長さ切除して、ヒンジ用筒部３１ａと切除部３１ｏとを交互に形成し、しかして固定用取付枠２５側のヒンジ用筒部３０ａを基端側縦枠６側の切除部３１ｏに嵌合すると共に、基端側縦枠６側の筒部３１ａを固定用取付枠２５側の切除部３０ｏに嵌合し、これら双方のヒンジ用筒部３０ａ，３１ａ・・・に金属製のヒンジ用軸３２を挿通することによって形成される。
【００４３】
このように形成されるヒンジ１０によれば、ヒンジ用筒部３０ａ，３１ａが、固定用取付枠２５及び枠体２，２Ｂの基端側縦枠６と夫々一体に形成されるから、製作が容易となる。また、ヒンジ用筒部３０ａ，３１ａの形成にあたって、ヒンジ用筒部３０ａは、固定用取付枠２５の一側端部に設けられた断面略Ｃ字形筒状部３０をその長手方向一定間隔おきに所定長さ切除することにより形成し、またヒンジ用筒部３１ａは基端側縦枠６の一側端部に設けられた断面略Ｃ字形筒状部３１をその長手方向一定間隔おきに所定長さ切除することにより形成したものであるが、夫々の筒状部３０，３１が断面円形ではなく、断面略Ｃ字形であることから、筒状部３０ａ，３１ａの形成が容易となる。この理由を以下に説明する。
【００４４】
例えば、固定用取付枠２５の断面略Ｃ字形の筒状部３０について、図１３を参照して説明すると、先ず(a) に示すように、筒状部３０には長手方向一定間隔Ｈおきに適当なカッター等によって断面円弧状に切れ目Ｋを入れる。この後、切れ目Ｋ，Ｋ間の筒状部分に対し、プレス加工により矢印方向に剪断力を作用させることで、切れ目Ｋ，Ｋ間の筒状部分がその根元部から切断されて前方へ飛ばされ、(b) に示すように切除部３１ｏを形成し、その両側にヒンジ用筒部３０ａを形成する。これは、筒状部３０が断面略Ｃ字形であるために簡単に切除部３１ｏを形成できるのであって、仮に、固定用取付枠２５の一側端部に設けられた筒状部が断面円形状であれば、その円形効果によって、切れ目Ｋ，Ｋとの間に剪断荷重を加えても筒状部分が潰されるような状態になるだけで、切除できない。
【００４５】
尚、図１０の(a) ，(b) には、ヒンジ１０によってパーティション１の枠体２の基端側縦枠６を躯体壁Ｗ側に枢着する場合と、ヒンジ１０によってパーティション１１の可動枠体２Ｂを固定枠体２Ａの方立２６側に枢着する場合とを図示している。
【００４６】
図１１は、他の実施形態によるヒンジ１０の構造を示すもので、(a) はパーティション１，１１が開いた時の取付構造、(b) は閉じた時の取付構造であり、(c) はヒンジ１０を分解した状態を示す。このヒンジ１０は、アルミ押出形材からなる固定用取付枠３３の一側端部に設けられたヒンジ用丸軸部３４の付け根側壁部３５を、その長手方向一定間隔おきに所定長さ切除して長窓３６を形成する一方、アルミ押出形材からなるパーティション１の枠体２又はパーティション１１の可動枠体２Ｂの基端側縦枠６の一側端部に設けられた断面略Ｃ字形の径大筒状部３８をその長手方向一定間隔おきに所定長さ切除して、ヒンジ用筒部３８ａと切除部３８ｏとを交互に形成し、しかして基端側縦枠６側の各ヒンジ用筒部３８ａを、固定用取付枠３３側の長窓３６に嵌め入れてヒンジ用丸軸部３４を中心に回動可能とした状態で、これらヒンジ用筒部３８ａとヒンジ用丸軸部３４との間に、断面略Ｃ字形の径小筒状中間ヒンジ軸３９を挿入することによって形成する。図１２の(a) 〜(d) は、上記組み付け手順を図示したものである。
【００４７】
上記した図１１及び図１２に示すようなヒンジ１０は、ヒンジ用筒部３８ａが、パーティション１の枠体２又はパーティション１１の可動枠体２Ｂの夫々の基端側縦枠６と一体に形成され、またヒンジ用丸軸部３４が固定用取付枠３３と一体に形成されるから、ヒンジの製作が容易となる。またこの場合、先端側縦枠７に形成される筒状部３８が断面円形ではなく、断面略Ｃ字形であるため、図１３によって説明したようにヒンジ用筒状部３０ａの形成が簡単容易となる。また、このヒンジ１０は、中心側のヒンジ用丸軸部３４と、この丸軸部３４に嵌合される断面略Ｃ字形の径小筒状中間ヒンジ軸３９と、この径小筒状中間ヒンジ軸３９に嵌合される断面略Ｃ字形の径大筒状部３８とからなるため、枢着部分が頑強となる。
【符号の説明】
【００４８】
Ｗ            躯体壁
１，１１      パーティション
２            枠体
２Ａ          固定枠体
２Ｂ          可動枠体
３，４        横枠
６            基端側縦枠
７            先端側縦枠
９            ボード
１０          ヒンジ
Ｔ            手摺り
１２          手摺り支柱
１４          固定ボルト
１５          締付ナット
１６          コ字形連結枠
１７          固定用ネジ
１８          ナット挿通孔
２０          ナット挿通孔
２１          ボルト嵌合孔
２２          スライド板
【図１】
2014133975.tif 000003
【図２】
2014133975.tif 000004
【図３】
2014133975.tif 000005
【図４】
2014133975.tif 000006
【図５】
2014133975.tif 000007
【図６】
2014133975.tif 000008
【図７】
2014133975.tif 000009
【図８】
2014133975.tif 000010
【図９】
2014133975.tif 000011
【図１０】
2014133975.tif 000012
【図１１】
2014133975.tif 000013
【図１２】
2014133975.tif 000014
【図１３】
2014133975.tif 000015